(57)【特許請求の範囲】
【請求項１】
撮像素子から周期的に取り込んでくる元画像をスルー画像として表示画面上に表示するスルー画像表示手段と、
前記元画像の全領域に含まれる部分領域であって、画像処理の対象となる部分領域を特定する特定手段と、
前記元画像の全領域の画素データのうち、前記特定手段により特定された部分領域の画素データに対して所定の画像処理を施し、該元画像の全領域の画素データのうち、該部分領域を除く部分の画素データは元の状態のままで残すことにより、元画像の一部が加工された加工画像を生成する生成手段と、
前記生成手段により生成された加工画像を前記スルー画像として前記表示画面上に表示させる表示制御手段と、
前記スルー画像表示手段によるスルー画像の表示中において、第１の操作が行われる毎に、その時点で前記生成手段により施されている画像処理の程度を所定量だけ増加または減少させるとともに、画像処理の程度が変更された後の加工画像を前記スルー画像として前記表示画面上に表示させる増減手段と、
前記スルー画像表示手段によるスルー画像の表示中において、第２の操作が行われると、その時点で前記増減手段により変更されている画像処理の程度に対応して前記生成手段により生成された加工画像を保存用のメモリに記録保存する記録手段と、
を備えることを特徴とするカメラ装置。
【請求項２】
前記生成手段は、前記特定手段により特定された部分領域の画素データに対して輝度調整処理を施し、
前記増減手段は、前記第１の操作が行われる毎に、前記生成手段による輝度調整で輝度を増加または減少させる量を変化させることを特徴とする請求項１記載のカメラ装置。
【請求項３】
前記生成手段は、前記特定手段により特定された部分領域の画素データに対してモザイク処理を施し、
前記増減手段は、前記第１の操作が行われる毎に、前記生成手段によるモザイク処理を施す領域の大きさを増加または減少させることを特徴とする請求項１記載のカメラ装置。
【請求項４】
前記スルー画像表示手段によるスルー画像の表示中において、第３の操作が行われる毎に、その時点で前記特定手段により特定されている部分領域の位置を所定量だけ移動させる移動手段を更に備えたことを特徴とする請求項１乃至３記載のカメラ装置。
【請求項５】
前記生成手段により施される前記所定の画像処理を、複数の画像処理の中から選択する選択手段を備え、
前記生成手段は、前記選択手段により選択された画像処理を前記部分領域の画素データに対して施すことを特徴とする請求項１記載のカメラ装置。
【請求項６】
前記選択手段により選択可能な複数の画像処理は、輝度調整処理とモザイク処理のうちの少なくとも１つの画像処理を含むことを特徴とする請求項５記載のカメラ装置。
【請求項７】
前記特定手段は、
（１）前記表示画面上での使用者の位置指定の操作に基づいて前記部分領域を特定する特定方法と、
（２）前記表示画面上に表示された元画像の輪郭を自動的に抽出することにより、該輪郭部分を前記部分領域として特定する特定方法と、
（３）予め形状が登録された加工範囲指定パターンにより前記部分領域を特定する特定方法と、
の特定方法のうちの少なくとも１つの特定方法を含むことを特徴とする請求項１記載のカメラ装置。
【請求項８】
前記画像処理の対象となる部分領域を特定する特定方法を、複数の特定方法の中から選択する選択手段と、
前記特定手段は、前記選択手段により選択された特定方法に応じて前記画像処理の対象となる部分領域を特定することを特徴とする請求項１記載のカメラ装置。
【請求項９】
前記選択手段により選択可能な複数の特定方法は、
（１）前記表示画面上での位置指定の操作により使用者が前記部分領域の位置と形状を任意に指定し、この指定に基づいて前記部分領域を特定する特定方法と、
（２）前記表示画面上での位置指定の操作により使用者が任意の位置を指定した後、この指定位置に応じて自動抽出された画像の輪郭部分を前記部分領域として特定する特定方法と、
（３）予め登録された複数の形状の中から利用者が任意の形状を選択し、前記表示画面上での位置指定の操作により使用者が任意の位置を指定し、この選択および指定された形状と位置に基づいて前記部分領域を特定する特定方法と、
の特定方法のうちの少なくとも１つの特定方法を含むことを特徴とする請求項７記載のカメラ装置。
【請求項１０】
撮像素子から周期的に取り込んでくる元画像をスルー画像として表示画面上に表示する工程と、
前記元画像の全領域に含まれる部分領域であって、画像処理の対象となる部分領域を特定する工程と、
前記元画像の全領域の画素データのうち、前記特定された部分領域の画素データに対して所定の画像処理を施し、該元画像の全領域の画素データのうち、該部分領域を除く部分の画素データは元の状態のままで残すことにより、元画像の一部が加工された加工画像を生成する工程と、
前記生成された加工画像を前記スルー画像として前記表示画面上に表示させる工程と、
前記スルー画像の表示中において、第１の操作が行われる毎に、その時点で施されている画像処理の程度を所定量だけ増加または減少させるとともに、画像処理の程度が変更された後の加工画像を前記スルー画像として前記表示画面上に表示させる工程と、
前記スルー画像の表示中において、第２の操作が行われると、その時点で変更されている画像処理の程度に対応した画像処理により生成された加工画像を保存用のメモリに記録保存する工程と、
を含むことを特徴とする撮像画像加工方法。
【発明の詳細な説明】
【０００１】
【発明の属する技術分野】
本発明は画像加工表示技術に関し、特に、撮像時に表示される画像或いは再生画像の一部を加工して表示し、記録媒体に記録する画像部分加工補助機能を有するカメラ装置およびその撮像画像加工方法に関する。
【０００２】
【従来の技術】
電子スチルカメラ（以下、デジタルカメラ）で撮像される被写体像は、ＣＣＤ等による光電変換、信号変換及び信号処理等を経て画像データとして記憶媒体に記録される。
また、デジタルカメラの多くは液晶ディスプレイ等からなる表示装置を備えており、このようなデジタルカメラでは、ＣＣＤから周期的に取り込んでくる画像（スルー画像）を表示装置に表示するので、ユーザは表示装置をファインダ代りに用いて表示される画像を見て確認しながら取り込みたいタイミングでシャッターボタンを押し下げて所望の画像を撮像（記録保存）することもできるし（記録モード）、また、記録媒体に記録された画像情報を読み出して表示装置上に再生表示することもできる（再生モード）。
【０００３】
従って、ユーザがある被写体を撮影した場合、記録後、撮影現場で直ちに撮影結果を記録媒体から読み出して再生し表示装置に表示できるので、仮に、撮影ミスがあったり、撮像結果が気に入らない場合でも撮り直すことができるという光学カメラにはない便利さをもっている。
【０００４】
【発明が解決しようとする課題】
光学カメラ（銀塩カメラ）やデジタルカメラで撮像した場合に、写真画像の一部分が暗く写っているような場合（例えば、人の顔を撮像した場合に顔だけが暗く写っているような場合）がある。
【０００５】
光学カメラでは一旦撮像した画像（フィルム上の潜像）を直接加工することは不可能であり、加工は、現像工程を得てネガを作成し印画紙上に焼付けた写真を見てから、対応のネガにマスクフィルターをかけたりして部分的な修正を施せるようにしてから焼付ける等の方法によらなければならず、高度の熟練と設備を要するので、通常のカメラ愛好者には部分修正（部分加工）を行なうことは困難であった。
【０００６】
一方、デジタルカメラで撮像した画像は、デジタルデータ化されてフラッシュメモリーに記憶されているので、パーソナルコンピュータ（以下、パソコン）などを利用して、適宜加工することが可能である。
しかしながらパソコンで画像の加工を行なうにはパソコンの利用法に関する知識を必要とするので、パソコンに不慣れな者や子供などにとっては画像の加工を簡単に行なうことができないといった問題点があった。
【０００７】
本発明は、上記問題点に鑑みて簡単に画像の一部を加工可能なカメラ装置および撮像方法の提供を目的とし、具体的には、撮像時に表示されるスルー画像或いは記録媒体に記録された画像の一部を加工して表示し、記録する画像加工補助機能を有するカメラ装置および撮像画像加工方法の提供を目的とする。
【０００８】
【課題を解決するための手段】
上記の目的を達成するために本発明のカメラ装置は、撮像素子から周期的に取り込んでくる元画像をスルー画像として表示画面上に表示するスルー画像表示手段と、前記元画像の全領域に含まれる部分領域であって、画像処理の対象となる部分領域を特定する特定手段と、前記元画像の全領域の画素データのうち、前記特定手段により特定された部分領域の画素データに対して所定の画像処理を施し、該元画像の全領域の画素データのうち、該部分領域を除く部分の画素データは元の状態のままで残すことにより、元画像の一部が加工された加工画像を生成する生成手段と、前記生成手段により生成された加工画像を前記スルー画像として前記表示画面上に表示させる表示制御手段と、前記スルー画像表示手段によるスルー画像の表示中において、第１の操作が行われる毎に、その時点で前記生成手段により施されている画像処理の程度を所定量だけ増加または減少させるとともに、画像処理の程度が変更された後の加工画像を前記スルー画像として前記表示画面上に表示させる増減手段と、前記スルー画像表示手段によるスルー画像の表示中において、第２の操作が行われると、その時点で前記増減手段により変更されている画像処理の程度に対応して前記生成手段により生成された加工画像を保存用のメモリに記録保存する記録手段と、を備えることを特徴とする。
【０００９】
また、上記カメラ装置において、前記生成手段は、前記特定手段により特定された部分領域の画素データに対して輝度調整処理を施し、前記増減手段は、前記第１の操作が行われる毎に、前記生成手段による輝度調整で輝度を増加または減少させる量を変化させるようにしてもよい。
また、上記カメラ装置において、前記生成手段は、前記特定手段により特定された部分領域の画素データに対してモザイク処理を施し、前記増減手段は、前記第１の操作が行われる毎に、前記生成手段によるモザイク処理を施す領域の大きさを増加または減少させるようにしてもよい。
また、上記カメラ装置において、前記スルー画像表示手段によるスルー画像の表示中において、第３の操作が行われる毎に、その時点で前記特定手段により特定されている部分領域の位置を所定量だけ移動させる移動手段を更に備えるようにしてもよい。
【００１０】
また、上記カメラ装置において、前記生成手段により施される前記所定の画像処理を、複数の画像処理の中から選択する選択手段と、を備え、前記生成手段は、前記選択手段により選択された画像処理を前記部分領域の画素データに対して施すことを特徴とする。
また、上記カメラ装置において、前記選択手段により選択可能な複数の画像処理は、輝度調整処理とモザイク処理のうちの少なくとも１つの画像処理を含むようにしてもよい。
また、上記カメラ装置において、前記特定手段は、（１）前記表示画面上での使用者の位置指定の操作に基づいて前記部分領域を特定する特定方法と、（２）前記表示画面上に表示された元画像の輪郭を自動的に抽出することにより、該輪郭部分を前記部分領域として特定する特定方法と、（３）予め形状が登録された加工範囲指定パターンにより前記部分領域を特定する特定方法と、の特定方法のうちの少なくとも１つの特定方法を含むようにしてもよい。
【００１１】
また、上記カメラ装置において、前記画像処理の対象となる部分領域を特定する特定方法を、複数の特定方法の中から選択する選択手段と、前記特定手段は、前記選択手段により選択された特定方法に応じて前記画像処理の対象となる部分領域を特定することを特徴とする。
【００１２】
また、上記カメラ装置において、前記選択手段により選択可能な複数の特定方法は、（１）前記表示画面上での位置指定の操作により使用者が前記部分領域の位置と形状を任意に指定し、この指定に基づいて前記部分領域を特定する特定方法と、（２）前記表示画面上での位置指定の操作により使用者が任意の位置を指定した後、この指定位置に応じて自動抽出された画像の輪郭部分を前記部分領域として特定する特定方法と、（３）予め登録された複数の形状の中から利用者が任意の形状を選択し、前記表示画面上での位置指定の操作により使用者が任意の位置を指定し、この選択および指定された形状と位置に基づいて前記部分領域を特定する特定方法と、の特定方法のうちの少なくとも１つの特定方法を含むようにしてもよい。
【００１３】
【発明の実施の形態】
＜回路構成例＞
図１は、本発明のカメラ装置の一実施形態としてのデジタルカメラの構成例を示すブロック図であり、図１で、デジタルカメラはレンズブロック４１が接続部４３を介してカメラ本体４２に接続されている。
【００１４】
レンズブロック４１は、撮像レンズ１，ＣＣＤ（Charge Coupled Device）２，アンプ３，Ａ／Ｄ変換回路４，および駆動回路５を有し、撮像レンズ１が図示しない被写体から取込んだ光をＣＣＤ２に結像するように構成されている。
ＣＣＤ２（撮像手段）は、撮像レンズ（撮像手段）１より入射された光を光電変換し、アンプ３を介してＡ／Ｄ変換回路４に出力し、Ａ／Ｄ変換させた後、接続部４３の端子３１からカメラ本体４２に出力するように構成されている。
駆動回路５は、接続部４３の端子３２を介してカメラ本体４２から制御信号が入力されると、ＣＣＤ２を駆動する。
【００１５】
カメラ本体４２は、タイミングジェネレータ１２，ＤＲＡＭ（Dynamic Random Access Memory）１３，フラッシュメモリー１４，圧縮／伸張回路１５，シグナルジェネレータ１６，ＶＲＡＭ（Video Random Access Memory）１７，Ｄ／Ａ変換回路１８，アンプ１９，液晶ディスプレイ（ＬＣＤ）２０，ＣＰＵ（Centoral Prosessing Unit）２１，ＲＯＭ（Read Only Memory）２２，ＲＡＭ（Random Access Memory）２３，指示入力部２４，Ｉ／Ｏポート２５を有しており、接続部４３の端子３１を介してＡ／Ｄ変換回路４からの画像信号がタイミングジェネレータに供給されるように構成されている。
【００１６】
タイミングジェネレータ１２は端子部３２を介して駆動回路５を制御し、ＣＣＤ２を駆動し、また、Ａ／Ｄ変換回路４から供給された画像データをＤＲＡＭ１３に書込む。また、ＤＲＡＭ１３に書込まれるＣＣＤ２からの画像データは黄色（Ｙｅ）、シアン（Ｃｙ）、および緑（Ｇｒ）の色成分を有している。
【００１７】
ＤＲＡＭ１３には画像データを一時記憶する領域の他、画像加工処理を実行する際の画像加工用ワークエリア（作業用領域）が確保されており、ＤＲＡＭ１３に書込まれた画像データは、圧縮／伸張回路１５で圧縮され、フラッシュメモリー１４に書込まれる。
また、フラッシュメモリー１４には撮像した画像を記録する領域の他、パターンを記録するパターン画像メモリー１４Ｂが設けられている。
【００１８】
ＤＲＡＭ１３に書込まれた画像データは、また、そこから読み出されてシグナルジェネレータ１６に供給され、ホワイトバランス調整が行なわれた後、色演算処理が施され、輝度信号Ｙ、色差信号Ｒ−Ｙ、Ｂ−Ｙが生成され、ＶＲＡＭ１７に記憶される。
【００１９】
シグナルジェネレータ１６は、また、ＶＲＡＭ１７に記憶された画像データを読み出してＤ／Ａ変換回路１８に出力し、Ｄ／Ａ変換させた後、アンプ１９を介して液晶ディスプレイ２０に出力し画像表示させる。なお、アンプ１９から出力されたビデオ信号は図示しない外部装置にも出力可能に構成されている。
【００２０】
ＣＰＵ２１は、ＲＯＭ２２或いはフラッシュメモリー１４に記録されているプログラムに従って各種の処理を実行する。
ＲＡＭ２３は、ＣＰＵ２１が各種の処理を実行する上で必要なプログラムおよびデータ等を適宜記憶する。
指示入力部２４は、図２に示すような各種の入力キーやボタンを備えており、使用者によって操作されると、対応の信号をＣＰＵ２１に送出する。
Ｉ／Ｏポート２５は、ＣＰＵ２１と外部装置との間におけるデータ入出力のインターフェイス処理を実行する。
【００２１】
＜指示入力部の構成例＞
図２は、本発明を適用したデジタルカメラに設けられている指示入力部２４の代表的なキーまたはボタンの配置例を示す図である。
図２で、画像加工ボタン６１は液晶ディスプレイ２０に表示された画像の一部を修正或いは加工するときに操作され、移動キー６２はカーソルを上下左右方向に移動させるときに操作され、レリーズボタン６３は撮像された画像を記録媒体に記録するときに操作され、再生ボタン６４はフラッシュメモリー１４に記録された画像（以下、記録画像）を再生させる再生モードを設定するときに操作される。
【００２２】
また、記録ボタン６５は撮像した画像をフラッシュメモリー１４に記録する記録モードを設定するときに操作され、パターンボタン６６は別途記録媒体に登録された図形等のパターンからなる加工範囲指定パターンを表示する場合に操作され、アップダウンキー６７は、加工範囲指定枠を表示する場合や、プログラムで規定された機能の実行等を指示する場合に操作され、抽出ボタン６８は輪郭抽出やパターンの抽出を行なう場合に操作される。
【００２３】
また、指示入力部２４に入力ペン等（図示せず）のポインティングデバイスを接続できるように構成して、液晶ディスプレイ２０上に表示された画像の加工部分或いは加工範囲を該ポインティングデバイスで指定するようにすることもできる。
【００２４】
＜処理モード＞
図３は、図１のデジタルカメラの処理モードの構成例を示す説明図であり、デジタルカメラの処理モードは、記録モードおよび再生モードからなる通常モードと近接撮影等の特殊撮影モードに大別され、通常モードと特殊撮影モードとの切換えは図示しない処理モード切換えスイッチの切換えによりなされる。
【００２５】
処理モードが通常モードに切換えられると記録モードとなり、記録モードは被写体の撮像およびスルー画像表示を行なう撮像モードと、スルー画像加工モードと、所望のスルー画像或いは加工された画像等を記録媒体（実施例ではフラッシュメモリー１４）に記録する保存記録モードを含んでいる。
【００２６】
通常モードで再生ボタン６４を押すと再生モードとなり、再生モードはフラッシュメモリー１４に記録されている記録画像を再生して表示する再生／表示モードと、記録画像加工モードと、Ｉ／Ｏポート２５を介して外部装置に画像データ（加工された画像データも含む）を出力可能な出力モードを含んでいる。
【００２７】
なお、処理モード切換えスイッチおよび指示入力部２４のキーやボタン操作による各モードへの分岐は、各ボタン等の操作により指示入力部２４からＣＰＵ２１に送られる状態信号を調べて対応のモード処理用回路或いはプログラムに分岐するモード判定手段（実施例ではプログラムで構成）によって行なわれる。
【００２８】
＜各モード下のデジタルカメラの動作＞
次に、図１のデジタルカメラの各モード下での動作について説明する。
［記録モード下の動作］
処理モードが記録モードに切換えられると撮像モードとなり、ＣＣＤ２から周期的に取り込んでくる１フレーム分の画像データを液晶ディスプレイ２０上にスルー画像として表示する。
撮像モードで画像加工ボタン６１を押すとスルー画像加工モードとなり、表示された被写体像の一部を指定して加工することができる。また、パターンボタン６６を押すと別途記録媒体に登録された図形等のパターンからなる加工範囲指定パターンを表示することができ、アップダウンキー６７を押すと加工範囲指定枠を表示することができる。
【００２９】
また、レリーズボタン６３を押すと保存記録モードになり、所望のスルー画像或いは加工された画像等をフラッシュメモリー１４に記録する。
（１）  撮像およびスルー画像の表示
記録ボタン６５が使用者によって操作され、記録モードに設定されている場合、ＣＰＵ２１はタイミングジェネレータ１２を制御し被写体像を取込む。
タイミングジェネレータ１２は、ＣＰＵ２１から撮像指示信号を受け取ると端子３２を介して駆動回路５を駆動し、ＣＣＤ２に画像データを取込ませる。ＣＣＤ２には使用者が撮像レンズ１を向けた画像が撮像レンズ１を介して結像しているので、ＣＣＤ２を駆動回路５で駆動することによりＣＣＤ２で光電変換された画像信号がアンプ３を介してＡ／Ｄ変換回路４に入力される。
Ａ／Ｄ変換回路４は入力された画像信号をＡ／Ｄ変換し、端子３１を介してタイミングジェネレータ１２に供給する。
タイミングジェネレータ１２は、入力された画像データ（Ｙｅ，Ｃｙ，Ｇｒ）をＤＲＡＭ１３に描画する。ＣＰＵ２１はＤＲＡＭ１３に一旦記憶された画像データを読み出し、シグナルジェネレータ１６に供給する。
シグナルジェネレータ１６はこの画像データのホワイトバランスを調整すると共に、エンコード処理してビデオデータ（Ｙ，Ｒ−Ｙ，Ｂ−Ｙ）を生成し、ＶＲＡＭ１７に一旦記憶させる。シグナルジェネレータ１６は、また、ＶＲＡＭ１７に描画したビデオデータを読み出してＤ／Ａ変換回路１８に供給する。
Ｄ／Ａ変換回路１８はこのビデオデータをＤ／Ａ変換し、アンプ１９を介して液晶ディスプレイ２０に出力し、表示させる。このようにして、液晶ディスプレイ２０には使用者が撮像レンズ１を介してモニターしている画像（スルー画像）が表示される。使用者はこの液晶ディスプレイ２０に表示された画像を見て被写体を確認することができる。
なお、以上のようにして液晶ディスプレイ２０に表示するためのビデオデータは簡単に生成できる。すなわち、例えば、ＤＲＡＭ１３に記憶された画像データのうち、Ｙｅ成分のみを用いて輝度データと色差データが生成されるので、これにより液晶ディスプレイ２０に対して撮像レンズ１を介した時々刻々と変化する画像（すなわち、スルー画像）を迅速に更新し、表示することが可能になる。
【００３０】
（２）  スルー画像の一部加工
撮像時に、画像加工ボタン６１を押すとスルー画像加工モードとなり、スルー画像の一部を指定してコントラストや明るさの調整やモザイク化等の加工処理を行なうことができる。
【００３１】
（３）  画像の記録保存
一方、記録モード下で、レリーズボタン６３を操作して記録指示を行なうと、ＣＰＵ２１はＤＲＡＭ１３に記憶されている画像データ（画像加工モード下で合成された一部加工画像データの場合を含む）を静止画像として液晶ディスプレイ２０に表示すると共に、シグナルジェネレータ１６に供給し、Ｙｅ成分，Ｃｙ成分，Ｇｒ成分の全てを用いて、より正確にビデオデータ（Ｙ，Ｒ−Ｙ，Ｂ−Ｙ）を生成（エンコード）させる。
さらに、ＣＰＵ２１はこのビデオデータを圧縮／伸張回路１５に供給し、例えば、ＪＰＥＧ（Joint Photographic Experts Group）方式で圧縮処理を実行させる。圧縮されたビデオデータはフラッシュメモリー１４に記録される（書込まれれる）。
なお、記録保存の際に、一部加工画像とその元画像（この場合は記録画像）をフラッシュメモリー１４上で関連付ける情報（例えば、一部加工画像および元画像の画像番号や、加工の種類等を示すコード等）を対応づけてフラッシュメモリー１４上に設けられたリンクテーブル５０に書込むようにしてもよい。
【００３２】
［再生モード下の動作］
通常モードで再生ボタン６４を押すと再生／表示モードとなり、フラッシュメモリー１４に記録されている記録画像を読み出し再生して液晶ディスプレイ２０に表示する。また、再生ボタンを押す毎に次の記録画像が読み出されて再生され、表示されるので、利用者は所望の再生画像を得ることができる。
なお、再生ボタンを押し続けると表示画像が早送りされ、再生ボタンから指を離すとその時点の画像が表示される早送りモードを付加するように構成してもよい。
再生／表示モードで画像加工ボタン６１を押すと記録画像加工モードとなり、表示された被写体像の一部を指定して加工することができる。また、パターンボタン６６を押すと別途記録媒体に登録された図形等のパターンからなる加工範囲指定パターンを表示することができ、アップダウンキー６７を押すと加工範囲指定枠を表示することができる。
【００３３】
（１）  記録画像の再生および表示
利用者が指示入力部２４の再生ボタン６４を操作して再生モードに設定すると、ＣＰＵ２１はフラッシュメモリー１４に書込まれている１画像分のビデオデータを読み出して圧縮／伸張回路１５に供給する。
圧縮／伸張回路１５はこのビデオデータに伸張処理を施してシグナルジェネレータ１６に供給する。
シグナルジェネレータ１６は受け取ったビデオデータに同期信号などを付加し、ＶＲＡＭ１７に一旦描画してから、ＶＲＡＭ１７に描画したビデオデータを読み出してＤ／Ａ変換回路１８に供給する。
Ｄ／Ａ変換回路１８はこのビデオデータをＤ／Ａ変換し、アンプ１９を介して液晶ディスプレイ２０に出力し表示させる。このようにして、液晶ディスプレイ２０にフラッシュメモリー１４に記録した画像を表示させることができる。上述したようにこの表示画像はスルー画像と異なり、より正確な処理を行なって取込んだ画像であるため、スルー画像と比べて明瞭な画像として表示される。
【００３４】
（２）  記録画像の一部加工
再生／表示モードで、画像加工ボタン６１を押すと記録画像加工モードとなり、記録画像の一部を指定してコントラストや輝度の調整やモザイク化等の加工処理を行なうことができる。
【００３５】
＜画像加工手段＞
画像加工手段１００は、通常モード下で画像加工処理を実行する。画像加工手段１００はハードウエア回路で構成することもできるが本実施例では画像加工手段１００をプログラムで構成している。なお、画像加工手段１００の各モジュールのうちあるモジュールをハードウエア回路で、その他のモジュールをプログラムで構成するようにしてもよい。
また、プログラムで構成された画像加工手段１００の各モジュールはＲＯＭ２２またはフラッシュメモリー１４に記録され、制御プログラムのコントロール下でＣＰＵ２１により実行制御され、本実施例の各種画像加工処理を実現する。
図４は画像加工手段１００の構成例を示すブロック図であり、画像加工手段１００は図４に示すように、スルー画像部分加工処理手段１１０と記録画像部分加工処理手段１２０を有している。
【００３６】
［スルー画像部分加工処理手段］
スルー画像部分加工処理手段１１０は、記録モード下で撮像モードからスルー画像加工モードに切換えられた場合に、画像の加工部分指定方法を判定する指定方法判定手段１１１と、スルー画像のうちの要加工部分を指定する加工部分指定手段１１２と、加工方法を選択する加工方法選択手段１１３と、当該加工部分指定手段１１２で指定された加工部分に選択された加工を施してその結果を液晶ディスプレイ２０に表示する部分加工処理手段１１４とを含んでいる。
【００３７】
指定方法判定手段１１１は、モード判別手段からスルー画像部分加工処理手段１１０に遷移すると起動され、ＣＰＵ２１が指示入力部２４から受け取った使用者の操作結果（状態信号）を判定して、加工部分指定手段１１２の対応のサブモジュールに分岐する。
【００３８】
加工部分指定手段１１２は、加工部分の指定方法を幾つか有しておりスルー画像のうちの使用者が加工を所望する部分を当該指定方法で指定することにより、指定部分が切抜かれ、対応の加工部分の画像データがＤＲＡＭ１３のワークエリアに一時記憶される。
【００３９】
加工部分の指定方法としては、例えば、
▲１▼  デジタルカメラに設けられた機能キー或いは機能ボタンを用いてカーソルを移動させて液晶ディスプレイ２０に表示されているスルー画像の一部を指定する方法、
▲２▼  液晶ディスプレイに表示された画像の輪郭を自動的に抽出し、その輪郭によって切り分けられたいずれかの部分を指定する方法、
▲３▼  予め、ＲＯＭ２２或いはフラッシュメモリー１４等の記録媒体に登録された加工範囲指定パターン（使用者が撮影して記録媒体に登録したパターンも含む）を選択し、選択された加工範囲指定パターンを用いて表示画像の加工範囲を囲って指定する方法、
▲４▼  予め、記録媒体に加工範囲指定枠のパターンを登録し、選択された加工範囲位指定枠（切取り枠）により加工範囲を囲って指定する方法、
等がある。
【００４０】
本実施例では、加工部分指定手段１１２は第１の指定手段１１２１，第２の指定手段１１２２，第３の指定手段１１２３，第４の指定手段１１２４をサブモジュールとして有しており、第１の指定手段１１２１は上記▲１▼の指定方法の実行手段に相当し、第２の指定手段１１２２は上記▲２▼の指定方法の実行手段に相当し、第３の指定手段１１２３は上記▲３▼の指定方法の実行手段に相当し、第４の指定手段１１２４は上記▲４▼の指定方法の実行手段に相当する。
【００４１】
加工方法選択手段１１３は、加工部分指定手段１１２のサブモジュールでの処理が終了し、加工部分指定手段１１２から遷移があった場合に液晶ディスプレイ２０の上下左右或いは４隅のいずれかの位置に（図１６（ａ），図１８（ａ））メニュー表示およびカーソル表示を行なう。この場合、メニューは加工指定部分８３と重複しないように自動的に配置される。
使用者が移動キー６２またはポインティングデバイスでカーソルを移動させてメニューをポイントすると、加工方法が選択され、部分加工処理手段１１４に遷移する。
【００４２】
部分加工処理手段１１４は各種部分加工処理を実行する複数の加工用サブモジュール（例えば、輝度調整手段１１４１，モザイク化手段１１４２，・・）を含んでおり、加工方法選択手段１１３から遷移があると選択された部分加工処理を実行するサブモジュールに分岐し、サブモジュールでの加工処理が終ると復帰させて、処理結果を液晶ディスプレイ２０に表示する。
【００４３】
［記録画像部分加工処理手段］
記録画像部分加工処理手段１２０は、再生モード下で再生／表示モードから再生画像加工モードに切換えられた場合に、画像の加工部分指定方法を判定する指定方法判定手段１２１と、表示された画像のうちの要加工部分を指定する加工部分指定手段１２２と、加工方法を選択する加工方法選択手段１２３と、当該加工部分指定方法により指定された加工部分に選択された加工を施してその結果を液晶ディスプレイ２０に表示する部分加工処理手段１２４と、加工画像記録手段１２６を含んでいる。
【００４４】
なお、オプションとして、リンクテーブル５０をフラッシュメモリー１４に設ける場合にリンクテーブル５０に登録する情報、例えば、元画像と部分加工画像の関係を示す画像番号や加工方法情報（コード）等を生成する加工情報付与手段１２５を部分加工処理手段１２４と加工画像記録手段１２６の間に組込むように構成してもよい。
【００４５】
指定方法判定手段１２１は、モード判別手段から記録画像部分加工処理手段１２０に遷移すると起動され、フラッシュメモリー１４に記録された画像を再生して液晶ディスプレイ２０に表示する。指定方法判定手段１２１は、ＣＰＵ２１が指示入力部２４から受け取った使用者の操作結果（状態信号）を判定して、加工部分指定手段１２２の対応のサブモジュールに分岐する。
【００４６】
加工部分指定手段１２２，加工方法選択手段１２３および部分加工処理手段１２６の機能および構成は上述した加工部分指定手段１１２，加工方法選択手段１１３および部分加工処理手段１１４と同様である（これらを同一モジュールとして構成することが望ましい）。
【００４７】
部分加工画像記録手段１２６は、部分加工処理手段１２４により部分加工された画像をフラッシュメモリー１４に記録する。この場合、記録保存モードに自動的に分岐し、記録保存が終ると復帰するように構成できる。また、加工情報付与手段１２５を前段に設けた場合には、部分加工された画像をフラッシュメモリー１４に記録すると共にリンクテーブル５０に生成された加工情報を記録する。
【００４８】
＜リンクテーブル＞
図５はリンクテーブルの構成例を示す説明図であり、リンクテーブル５０はフラッシュメモリー１４上に設けられ、部分加工画像とその元画像（この場合は記録画像）をフラッシュメモリー１４上で関連付ける情報を記録することができる。
図５で、画像番号欄５１には加工画像の画像番号が、画像番号欄５２には元画像の画像番号が記録される。なお、この他に、元画像上の加工部分の位置情報（座標値）や、加工コード情報および加工変数（パラタメータ）を記録するようにしてもよい。
【００４９】
＜実施例＞
図６は、図１のデジタルカメラの部分加工処理時の基本的動作例を示すブロック図、図７，図９，図１１，および図１３は加工部分指定手段１１２（１２２）を構成する各モジュールの動作例を示すフローチャート、図８，図１０，図１２，図１４は図７，図９，図１１，または図１３のフローチャートに基づく加工部分指定処理手順の説明図、図１５，図１７は部分加工処理モジュールの動作例を示すフローチャート、図１６，図１８は図１５，または図１７のフローチャートに基づく部分加工処理手順の説明図である。
【００５０】
［基本的動作例］
図６で、使用者が図２の指示入力部２４でキー或いはボタンを操作すると対応の指示信号がＣＰＵ２１に送られる。モード判定手段はＣＰＵ２１が受け取った指示信号を調べ、対応の処理モードに遷移する。
使用者が記録ボタン６５を押すと記録モードに遷移し（Ｓ１）、撮像モードに移行してスルー画像を液晶ディスプレイ２０に表示する（図８（ａ））。これにより使用者はカメラのアングルや被写体との距離を調整して所望のスルー画像を得ることができるが、ここで、使用者が画像加工ボタン６１を押すと当該スルー画像について部分加工を要するものとしてスルー画像加工モードとなり、Ｓ５に移行する（Ｓ２）。
【００５１】
また、使用者が再生ボタン６４を押すと再生モードに遷移し（Ｓ３）、フラッシュメモリー１４に記録されている画像データ（記録画像データ）を再生し、液晶ディスプレイ２０に表示する（図８（ａ））。使用者は表示された画像が所望の画像（或いは、部分補正を要する画像）でない場合には更に再生ボタンを押すことにより、順次新たな再生画像を液晶ディスプレイ２０に表示することができる。ここで、使用者が画像加工ボタン６１を押すと当該再生画像について部分加工を要するものとして記録画像加工モードとなり、Ｓ５に移行する（Ｓ４）。
【００５２】
上記Ｓ２またはＳ４で画像加工ボタン６１が押されると、先ず、第１の指定手段１１２１に相当するサブモジュールに分岐して画像に重畳してカーソル表示を行なうが（図８（ｂ））、ここで使用者が抽出ボタン６８，パターンボタン６６，またはアップダウンキー６７のいずれかを操作すると対応のサブモジュール（第２の指定手段１１２２〜１１２４のいずれか）に分岐し（Ｓ５）、そのサブモジュールでの処理が終ると復帰して、Ｓ７に移行する（Ｓ６）。
【００５３】
上記Ｓ６での加工部分の指定が終るとその画像（図１６（ａ），図１８（ａ））に重畳させて部分加工方法選択メニュー９１，９２，・・の表示およびカーソル８１の表示を行ない、使用者に部分加工方法の選択を促し、使用者の選択の結果を判定する（Ｓ７）。
【００５４】
上記Ｓ７で選択された結果に基づいて対応の部分加工処理に分岐し、そのサブモジュールでの処理が終ると復帰して、Ｓ９に移行する（Ｓ８）。
【００５５】
ＣＰＵ２１は現在のモードが記録モードか再生モードのいずれかを調べ（Ｓ９）、記録モードの場合には保存記録モードに移行して現在液晶ディスプレイ２０に表示されている画像（所望の部分が加工された全体画像）をフラッシュメモリー１４に記録し（Ｓ１０）、再生モードの場合には保存記録モードに分岐して現在液晶ディスプレイ２０に表示されている画像（所望の部分が加工された全体画像）をフラッシュメモリー１４に記録し、記録が終ると記録画像加工モードに復帰する（Ｓ１１）。
【００５６】
［加工部分指定時の動作例］
本実施例では、加工部分指定手段１１２は第１の指定手段１１２１，第２の指定手段１１２２，第３の指定手段１１２３，第４の指定手段１１２４をサブモジュールとして有し、指定方法判定手段１１１は指示入力部２４から受け取った加工情報（コード）が移動キー６２或いは図示しないポインテイングデバイスの操作を意味している場合には、第１の指定方法を実行するために第１の指定手段１１２１に分岐し、加工情報が抽出ボタン６８の操作を意味している場合には、第２の指定方法を実行するために第２の指定手段１１２２に分岐し、加工情報がパターンボタン６６の操作を意味している場合には、第３の指定方法を実行するために第３の指定手段１１２３に分岐し、加工情報がアップダウンキー６７の操作を意味している場合には、第４の指定方法を実行するために第４の指定手段１１２４に分岐する。
【００５７】
（１）  第１の指定方法による動作例（図７）
図６のＳ２またはＳ４で、使用者が図８（ａ）に示すようなスルー画像または再生画像のある部分８１（図８（ａ）の例では顔の部分が影になっている）の加工を所望し、画像加工ボタン６１を押した場合に、先ず、第１の指定手段１１２１に相当するサブモジュールに分岐して、図８（ｂ）に示すようにカーソル８２の表示を行なう（Ｓ５１１）。
【００５８】
ここで、使用者が移動キー６２の操作を開始するとＳ５１３に移行するが、他のボタン等（抽出ボタン６８，パターンボタン６６，またはアップダウンキー６７のいずれか）を操作すると他の対応のサブモジュールに分岐する（Ｓ５１２）。
【００５９】
使用者が移動キー６２を操作してカーソル８２を移動させ、図８（ｃ）に示すように影になっている部分（要加工部分）８１の範囲をポイントするとポイント部分８３が視覚的に弁別可能に表示（例えば、反転表示））される（Ｓ５１３）。
【００６０】
ここで、使用者が要加工部分の全てをポイントしたと判断した場合にはレリーズボタン６３を押す。これにより確認があったものとしてＳ５１５に移行する（Ｓ５１４）。
【００６１】
上記ステップＳ５１４でレリーズボタン６３が押された場合には、指定された部分の画像データ８４が抽出されてＤＲＡＭ１３のワークエリアの加工部分格納領域に書込まれ（図８（ｄ））、書込みが終るとメインモジュールである加工部分指定手段１１２（１２２）に復帰して図６のＳ７に移行する（Ｓ５１５）。
【００６２】
（２）  第２の指定方法による動作例（図９）
図７のＳ５１２で、抽出ボタン６８が押されると図９のＳ５２１に移行するが、他のボタン等（パターンボタン６６またはアップダウンキー６７）を操作すると対応のサブモジュールに分岐する。
【００６３】
上記ステップＳ５１２で抽出ボタン６８が押された場合には、自動的に輪郭抽出処理が行なわれ（Ｓ５２１）、図１０（ａ）に示すような画像８０の輪郭８４が図１０（ｂ）に示すように抽出されて液晶ディスプレイに表示されると共にカーソル８２’が表示される（Ｓ５２２）。
【００６４】
次に、使用者が移動キー６２を操作してカーソル８２’を移動させ、所望の部分の範囲をポイントすると図１０（ｃ）に示すようにポイント部分８５が視覚的に弁別可能に表示（例えば、反転表示））される（Ｓ５２３）。
ここで、使用者が要加工部分の全てをポイントしたと判断した場合にはレリーズボタン６３を押す。これにより確認があったものとしてＳ５２５に移行する（Ｓ５２４）。
【００６５】
上記ステップＳ５２４でレリーズボタン６３が押された場合には、指定された部分の画像データ８６が抽出されてＤＲＡＭ１３のワークエリアの加工部分格納領域に書込まれ（図１０（ｄ））、書込みが終るとメインモジュールである加工部分指定手段１１２（１２２）に復帰して図６のＳ７に移行する（Ｓ５２５）。
【００６６】
（３）  第３の指定方法による動作例（図１１）
本実施例で用いる加工範囲指定パターンは予めメーカーがパターン画像メモリー１４Ｂに登録したものでもよく、また、それらを使用者側で別途撮影し、パターン画像メモリー１４Ｂに登録したものでもよい。
【００６７】
図７のＳ５１２で、パターンボタン６６が押されると図１１のＳ５３１に移行するが、他のボタン等（抽出ボタン６８かまたはアップダウンキー６７）を操作すると対応のサブモジュールに分岐する。
【００６８】
上記ステップＳ５１２でパターン６８が押された場合には、図１１で、パターン画像メモリー１４Ｂから例えば図１２（ｂ）に示すようなパターンが読み出されて再生されて、カーソル枠８２”と共に液晶ディスプレイ２０に表示される（Ｓ５３１）。
【００６９】
次に、使用者がカーソル枠８２”を移動させて所望のパターン８６を選択すると（Ｓ５３２）、図１０（ｃ）に示すように画像（図１０（ａ））に重畳させてパターン８６が表示される（Ｓ５３３）。
【００７０】
次に、使用者が移動キー６２を操作してパターン８６を移動させ、図１２（ｄ）に示すように所望の部分８５をパターンで囲んでポイントするとポイント部分８５が視覚的に弁別可能に表示される（Ｓ５３４）。
【００７１】
ここで、使用者が要加工部分の全てがパターンで囲まれたと判断した場合にはレリーズボタン６３を押す。これにより確認があったものとしてＳ５３７に移行する（Ｓ５３５）。なお、所望の部分をパターンで囲みきれないときは、アップダウンスイッチ６７を押してパターンを拡大（＋）または縮小させて囲める大きさに調整する（Ｓ５３６）。
【００７２】
上記ステップＳ５３５でレリーズボタン６３が押された場合には、指定された部分の画像データ８５’が抽出されてＤＲＡＭ１３のワークエリアの加工部分格納領域に書込まれ（図１２（ｅ））、書込みが終るとメインモジュールである加工部分指定手段１１２（１２２）に復帰して図６のＳ７に移行する（Ｓ５３７）。
【００７３】
（４）  第４の指定方法による動作例（図１３）
本実施例では予め加工範囲指定枠をサイズを変えて複数個ＲＯＭ２２或いはパターン画像メモリー１４Ｂに登録しておき、画像と共に表示して枠内の画像を切取る。
【００７４】
図７のＳ５１２で、アップダウンキー６７が操作されると図１３のＳ５４１に移行するが、他のボタン等（パターンボタン６６か抽出ボタン６８）を操作すると対応のサブモジュールに分岐する。
【００７５】
上記ステップＳ５１２でアップダウンキー６７が操作された場合には、図１３で、ＲＯＭ２２から例えば図１４（ｂ）に示すように加工範囲指定枠８７が再生され、液晶ディスプレイ２０上の要加工画像（図１４（ａ））に重畳表示される（Ｓ５４１）。
【００７６】
次に、使用者がアップダウンキー６７を更に操作（＋、ー）すると所定サイズの加工範囲指定枠８７が表示されるので所望のサイズの加工範囲指定枠８７’を選ぶ（Ｓ５４２）。
【００７７】
次に、使用者が移動キー６２を操作して加工範囲指定枠８７’を移動させ、図１４（ｃ）に示すように所望の部分を加工範囲指定枠８７’で囲んでポイントする（Ｓ５４３）。なお、所望の部分をパターンで囲みきれないときは、さらにアップダウンスイッチ６７を押して枠パターンを選び囲める大きさの枠に調整する（Ｓ５４５）。
ここで、使用者が要加工部分の全てを枠パターンで囲んだと判断した場合にはレリーズボタン６３を押す。これにより確認があったものとしてＳ５４６に移行する（Ｓ５４４）。
【００７８】
上記ステップＳ５４４でレリーズボタン６３が押された場合には、指定された部分の画像データ８８が切取られてＤＲＡＭ１３のワークエリアの加工部分格納領域に書込まれ（図１４（ｄ））、書込みが終るとメインモジュールである加工部分指定手段１１２（１２２）に復帰して図６のＳ７に移行する（Ｓ５４６）。
【００７９】
［部分加工処理時の動作例］
本実施例では、部分加工処理として要加工部分の輝度調整処理（図１５，図１６）とモザイク処理（図１７，図１８）を例とするが、これらの部分加工処理に限られず、パソコン等で用いられている他の種々の画像加工処理技術を適用することが可能である。
【００８０】
（１）  輝度調整処理
図６のＳ７で、輝度調整処理が選択される（例えば、図１６（ａ）でメニュー９１「明るさ」が選択される）と輝度調整モジュールに分岐してＤＲＡＭ１３の部分加工画像（図８（ｄ））データの輝度成分を８ビットで取込み加工（例えば、最頻値を基準に変換）する。これにより図８（ｄ）の画像は図１６（ｂ）に示すように輝度変換される（Ｔ１）。
【００８１】
輝度成分加工後、シグナルジェネレータ１６はこの輝度変換後の部分画像データ（図１６（ｂ））をビデオデータ化してＶＲＡＭ１７に描画した後、ＶＲＡＭ１７に描画したビデオデータを読み出して液晶ディスプレイ２０に出力し表示させる。これにより、液晶ディスプレイ２０にはスルー画像（または再生画像）の要加工部分が輝度成分の変換された画像（図１６（ｃ））が表示される。使用者はこの液晶ディスプレイ２０に表示された画像を見て要加工部分の輝度成分加工結果を確認することができる（Ｔ２）。
【００８２】
ここで、ＣＰＵ２１は使用者がレリーズボタン６３を操作したかを調べ、レリーズボタン６３が押された場合には図６のＳ９に移行し、押されていない場合にはＴ４に移行する（Ｔ３）。
上記Ｔ３でアップダウンキー６７が操作された場合にはＤＲＡＭ１３のワークエリアに書込まれた部分画像データの輝度成分をさらに増減させて加工する。
この場合、アップダウンキー６７（＋）が押されると輝度値が高い方に所定値ずつ（本実施例では１ずつ）シフトされ、アップダウンキー６７（−）が押されると輝度値が低い方に所定値ずつ（本実施例では１ずつ）シフトされる。従って、アップダウンキー６７（＋）またはアップダウンキー６７（−）を操作することにより、パターンの輝度値を変化（或いは、シフト後の最頻値を基に変換）させることができる（Ｔ４）。
【００８３】
アップダウンキー６７が１回操作される毎に、シグナルジェネレータ１６はこの輝度成分加工部分画像データをビデオデータ化してＶＲＡＭ１７に描画した後、ＶＲＡＭ１７に描画したビデオデータを読み出して液晶ディスプレイ２０に出力し表示させる。これにより、液晶ディスプレイ２０にはスルー画像（または再生画像）の要加工部分が輝度成分の変換された画像が表示される。使用者はこの液晶ディスプレイ２０に表示された画像を見て要加工部分の輝度成分加工結果を確認することができる（Ｔ５）。
ここで、ＣＰＵ２１は使用者がレリーズボタン６３を操作したかを調べ、レリーズボタン６３が操作されている場合には図６のＳ９に移行し、操作されていない場合にはＴ４に戻る（Ｔ６）。
【００８４】
上記動作により図８（ａ）で影になっていた顔の部分８１の輝度が簡単な操作で加工／調整されて周囲の画像と同じ明るさに調整された（図１６（ｂ））。このようにして、図１０（ｄ），図１２（ｅ），図１４（ｄ）の部分画像データについても輝度調整処理を行なうことができる。
【００８５】
（２）  部分モザイク処理
図６のＳ７で、部分モザイク処理が選択される（例えば、図１８（ａ）でメニュー９２「モザイク」が選択される）と部分モザイク処理モジュールに分岐してＤＲＡＭ１３の部分加工画像（図１０（ｄ））データの画素を所定の大きさの矩形毎にカウントして各矩形ごとに最大数の画素を調べ、それぞれの矩形の画素をその最大画素で置き換えてモザイク化する。これにより、図１０（ｄ）の画像は図１８（ｂ）に示すようにモザイク化される。（Ｕ１）。
【００８６】
モザイク化後、シグナルジェネレータ１６はこのモザイク化された部分画像データ（図１８（ｂ））をビデオデータ化してＶＲＡＭ１７に描画した後、ＶＲＡＭ１７に描画したビデオデータを読み出して液晶ディスプレイ２０に出力し表示させる。これにより、液晶ディスプレイ２０にはスルー画像（または再生画像）の要加工部分がモザイク化された画像（図１８（ｃ））が表示される。使用者はこの液晶ディスプレイ２０に表示された画像を見て要加工部分のモザイク加工結果を確認することができる（Ｕ２）。
【００８７】
ここで、ＣＰＵ２１は使用者がレリーズボタン６３を操作したかを調べ、レリーズボタン６３が押された場合には図６のＳ９に移行し、押されていない場合にはＵ４に移行する（Ｕ３）。
【００８８】
上記Ｕ３でアップダウンキー６７が操作された場合にはＤＲＡＭ１３のワークエリアに書込まれた部分画像データのモザイクの大きさをさらに拡大／縮小させて加工する。
この場合、アップダウンキー６７（＋）が押されるとモザイクの大きさが所定値ずつ（本実施例では２００％ずつ）拡大され、アップダウンキー６７（−）が押されるとモザイクの大きさが所定値ずつ（本実施例では２００％ずつ）縮小される。従って、アップダウンキー６７（＋）またはアップダウンキー６７（−）を操作することにより、モザイクの大きさを変化させることができる（Ｕ４）。
【００８９】
アップダウンキー６７が１回操作される毎に、シグナルジェネレータ１６はこのモザイク化画像データをビデオデータ化してＶＲＡＭ１７に描画した後、ＶＲＡＭ１７に描画したビデオデータを読み出して液晶ディスプレイ２０に出力し表示させる。これにより、液晶ディスプレイ２０には使用者が撮像レンズ１を介してモニターしているスルー画像（または再生画像）の要加工部分がモザイク化された画像が表示される。使用者はこの液晶ディスプレイ２０に表示された画像を見て要加工部分のモザイク処理結果を確認することができる（Ｕ５）。
【００９０】
ここで、ＣＰＵ２１は使用者がレリーズボタン６３を操作したかを調べ、レリーズボタン６３が操作されている場合には図６のＳ９に移行し、操作されていない場合にはＵ４に戻る（Ｕ６）。
【００９１】
上記動作により図１０（ａ）の顔の部分８１を簡単な操作でモザイク加工できた（図１８（ｃ））。このようにして、図８（ｄ），図１２（ｅ），図１４（ｄ）の部分画像データについても部分モザイク加工処理を行なうことができる。
また、同様に抽出された部分画像について輝度調整処理およびモザイク以外の加工処理を施して基画像の一部を加工できる。
【００９２】
以上本発明の各実施例について説明したが、本発明は上記各実施例に限定されるものではなく、種々の変形実施が可能であることはいうまでもない。
【００９３】
【発明の効果】
以上説明したように本発明のカメラ装置によれば、撮影された画像に加工したい部分がある場合に、加工の対象となる部分領域を特定し、当該部分領域に対して所定の加工方法で加工することができ、また、カメラ装置の表示画面上で加工の対象となる部分領域や、画像全体の中で当該部分領域が加工された結果を確認し、所望の加工結果を得ることができるので、従来の銀塩カメラでの画像補修作業やパソコンでの煩わしい操作に比較して極く簡単に画像の一部修正や加工等を行なうことができる。
【００９４】
また、画像の部分加工は撮像中のスルー画像に対しても行なえるので、臨場的な修正が可能であり、例えば、人物像を撮影した場合に顔が木などの影になっているような場合にもその部分の輝度を調整できるなど、撮影後に修正部分が発見された場合に比べ、迅速に、かつ環境に適合させた修正（加工）が行なえる。
また、スルー画像の表示中において、第１の操作が行われる毎に、その時点で施されている画像処理の程度を所定量だけ増加または減少させるとともに、画像処理の程度が変更された後の加工画像をスルー画像として表示させ、第２の操作が行われると、その時点で変更されている画像処理の程度に対応した画像処理により生成された加工画像を保存用のメモリに記録保存するようにしたので、スルー画像表示中の簡単な操作によって画像処理の程度を素早く微調整しながら所望の状態の画像だけを素早く無駄なく記録保存することができる。
【図面の簡単な説明】
【図１】本発明のカメラ装置の一実施形態としてのデジタルカメラの構成例を示すブロック図である。
【図２】本発明を適用したデジタルカメラに設けられている指示入力部の代表的なキーまたボタンの配置例を示す図である。
【図３】図１のデジタルカメラの処理モードの構成例を示す説明図である。
【図４】画像加工手段の構成例を示すブロック図である。
【図５】リンクテーブルの構成例を示す説明図である。
【図６】図１のデジタルカメラの部分加工処理時の基本的動作例を示すブロック図である。
【図７】第１の加工部分指定方法を実行するモジュールの動作例を示すフローチャートである。
【図８】図７のフローチャートに基づく加工部分指定処理手順の説明図である。
【図９】第２の加工部分指定方法を実行するモジュールの動作例を示すフローチャートである。
【図１０】図９のフローチャートに基づく加工部分指定処理手順の説明図である。
【図１１】第３の加工部分指定方法を実行するモジュールの動作例を示すフローチャートである。
【図１２】図１１のフローチャートに基づく加工部分指定処理手順の説明図である。
【図１３】第４の加工部分指定方法を実行するモジュールの動作例を示すフローチャートである。
【図１４】図１３のフローチャートに基づく加工部分指定処理手順の説明図である。
【図１５】部分加工処理モジュールの動作例を示すフローチャートである。
【図１６】図１５のフローチャートに基づく部分加工処理手順の説明図である。
【図１７】部分加工モジュールの動作例を示すフローチャートである。
【図１８】図１７のフローチャートに基づく部分加工処理手順の説明図である。
【符号の説明】
１４  フラッシュメモリー（記録媒体）
２０  液晶ディスプレイ（表示装置）
８２  カーソル（位置特定手段）
１１２  加工部分指定手段
１１３  部分加工手段
１１２１  第１の指定手段（加工部分指定モジュール）
１１２２  第２の指定手段（加工部分指定モジュール）
１１２３  第３の指定手段（加工部分指定モジュール）
【図１】
0004333970.tif 000002
【図２】
0004333970.tif 000003
【図３】
0004333970.tif 000004
【図４】
0004333970.tif 000005
【図５】
0004333970.tif 000006
【図６】
0004333970.tif 000007
【図７】
0004333970.tif 000008
【図８】
0004333970.tif 000009
【図９】
0004333970.tif 000010
【図１０】
0004333970.tif 000011
【図１１】
0004333970.tif 000012
【図１２】
0004333970.tif 000013
【図１３】
0004333970.tif 000014
【図１４】
0004333970.tif 000015
【図１５】
0004333970.tif 000016
【図１６】
0004333970.tif 000017
【図１７】
0004333970.tif 000018
【図１８】
0004333970.tif 000019